(57)【要約】【課題】ユーザに煩雑な操作を強いることなくユーザの商品等に関する嗜好性を判別することが可能な携帯情報端末装置の提供、また、ユーザの商品等に関する嗜好性に即したＣＭを表示することが可能な携帯情報端末装置の提供。【解決手段】商品に関する支払い履歴情報若しくは照会履歴情報である商品照会履歴等情報をメモリカード１０３に蓄積させ、当該情報に基づいてユーザの商品等の嗜好性の判別を行い、当該嗜好性とチューナ部１０５によって受信されるＣＭに対応付けられたＣＭ情報とを比較し、嗜好性に即したＣＭを優先的に表示部１０９に表示させる。【選択図】図２
2008152564.tif 000002
【特許請求の範囲】
【請求項１】
商品に付されている商品情報を読取り可能な情報読取部と、商品が有する属性に対応した構成を有する履歴テーブルを備える記憶部と、嗜好性判別部と、を備えることにより、前記情報読取部によって取得される商品情報に基づいて前記履歴テーブルの対応する商品の属性に履歴情報を蓄積し、前記嗜好性判別部によって前記履歴テーブルに蓄積された情報に基づいたユーザの商品の嗜好性の判別を可能としたことを特徴とする携帯情報端末装置。
【請求項２】
商品に対する決済機能と、決済情報取得部と、商品が有する属性に対応した構成を有する履歴テーブルを備える記憶部と、嗜好性判別部と、を備えることにより、前記決済情報取得部によって商品に関する支払い履歴情報を取得し、当該支払い履歴情報に基づいて前記履歴テーブルの対応する商品の属性に履歴情報を蓄積し、前記嗜好性判別部によって前記履歴テーブルに蓄積された情報に基づいたユーザの商品の嗜好性の判別を可能としたことを特徴とする携帯情報端末装置。
【請求項３】
配信されるコマーシャル及びコマーシャルの内容を示すコマーシャル情報を受信可能な受信部と、表示部と、前記コマーシャル情報に基づいて前記ユーザの商品等の嗜好性に適合するコマーシャルを判別する嗜好ＣＭ判別部と、を備えることにより、配信されるコマーシャルの中にユーザの商品等の嗜好性に適合するコマーシャルがあるか否かを判別可能とし、嗜好性に適合するコマーシャルがあった場合にはこれを優先的に前記表示部に表示させることを特徴とする請求項１又は請求項２に記載の携帯情報端末装置。
【請求項４】
配信されるコマーシャル及びコマーシャルの内容を示すコマーシャル情報を受信可能な受信部と、表示部と、当該受信したコマーシャル及びコマーシャル情報を記録する記録媒体と、前記コマーシャル情報に基づいて前記ユーザの商品等の嗜好性に適合するコマーシャルを判別する嗜好ＣＭ判別部と、を備えることにより、前記記録媒体に記録されたコマーシャルの中にユーザの商品等の嗜好性に適合するコマーシャルがあるか否かを判別可能とし、嗜好性に適合するコマーシャルがあった場合にはこれを優先的に前記表示部に表示させることを特徴とする請求項１又は請求項２に記載の携帯情報端末装置。
【請求項５】
前記嗜好ＣＭ判別部によって抽出したコマーシャルのリストを作成する抽出ＣＭリスト作成部を備えることにより、当該作成した抽出ＣＭリストを前記表示部に表示させ、ユーザから再生要求のあったコマーシャルを再生させる処理を実行する、若しくは、ユーザから詳細情報表示要求のあったコマーシャルについて前記コマーシャル情報に基づいた情報を表示させることを特徴とする請求項４記載の携帯情報端末装置。
【請求項６】
予め定められた若しくはユーザによって設定された商品を前記記憶部に格納しておき、前記商品支払い履歴情報に基づいて所定期間内に前記記憶部に設定された商品についての購入履歴があったと判断された場合には、所定期間にわたり当該商品に関するコマーシャルの表示優先度を下げることを特徴とする請求項３乃至請求項５の何れか１つに記載の携帯情報端末装置。
【請求項７】
コマーシャルを配信するコンテンツ配信装置と、当該コンテンツ配信装置へ通信回線を介して情報を送信する情報送信部を備え且つ自己の識別情報を有する請求項１又は請求項２に記載の携帯情報端末装置と、を備えるコンテンツ配信システムであって、前記嗜好性判別部によって判別されたユーザの商品の嗜好性に関する情報を前記自己の識別情報と共に前記情報送信部から前記コンテンツ配信装置へと送信し、当該情報を受信した前記コンテンツ配信装置において、前記嗜好性情報に適合するコマーシャルを前記識別情報に従って各携帯情報端末装置へと配信することを特徴とするコンテンツ配信システム。
【発明の詳細な説明】
【技術分野】
【０００１】
本発明は携帯情報端末装置に関し、主に、商品情報の参照履歴や商品の購入履歴に基づいてユーザの商品等に関する嗜好性を判別することが可能な携帯情報端末装置に関する。
【背景技術】
【０００２】
現在、放送波はアナログからデジタルへ順次移行しており、また、現在では放送波に限らずインターネット等のネットワークを介してコンテンツを配信することなどが行われており、当該配信されたコンテンツを受信するための装置として携帯電話に代表される携帯情報端末装置も使用されている。このようにコンテンツの配信方式（及び受信装置）は時代と共に変化しているが、このようなコンテンツの伝送媒体や装置の相違に拘わらず、コマーシャルを配信することでコンテンツ配信者側が収益を得ることは行われている。
【０００３】
コマーシャル（以下単にＣＭとする場合がある）とは企業等が自己の商品やサービス（以下商品等とする場合や単に商品と記載する場合がある）を宣伝することで消費者に自己の商品等を購入してもらうことが主な目的となるものであるため、各視聴者（消費者）に対し、それぞれの視聴者が関心を持っている商品等やよく購入する商品等に関するＣＭ（ユーザの嗜好性に即したＣＭ）を視聴してもらうことが、ＣＭ提供者側にとっては好ましいことであり、又、ユーザにとっても有益なものとなる。
【０００４】
このような、ユーザの嗜好性に即したＣＭを判別・表示する技術に関する従来技術が、特許文献１〜特許文献３などによって開示されている。また、ユーザ（お客）の買い物履歴に基づいてこれに応じた広告をショッピングカートに送信するショッピング情報提供システムに関する技術が特許文献４によって開示されており、ユーザの嗜好性に即したコンテンツの抽出をする方送受信機能付きの携帯電話装置に関する技術が特許文献５によって開示されている。
【０００５】
【特許文献１】特開２００１−１１１９２１号公報
【特許文献２】特開２００１−２７５０５２号公報
【特許文献３】特開２００２−２１８３７７号公報
【特許文献４】特開２００２−３０４６７１号公報
【特許文献５】特開２００６−７４３７６号公報
【発明の開示】
【発明が解決しようとする課題】
【０００６】
上記したユーザの嗜好性に即したＣＭを判別・表示するための従来技術（特許文献１〜特許文献３）は、ＣＭ等の視聴履歴を残すことにより当該視聴履歴に基づいてユーザの嗜好性を判断するものと、ユーザにＣＭの嗜好性に関する何らかの入力を行わせることによりユーザの嗜好性を判断するものに大別される。
【０００７】
ＣＭ等の視聴履歴を残すものの場合、ユーザが視聴したＣＭ（装置に表示されたＣＭ）が必ずしもそのユーザが興味を持っているものであるとは限らず（単に装置にＣＭが表示されたというだけであり、ユーザが興味を持って視聴したか否かは不明）、また、仮にユーザがそのＣＭに興味を持っていたとしても、そのＣＭに係る商品等に興味を持っていたか否かは不明である（例えば、単にＣＭで使用された曲や出演者に興味があったにすぎない場合もある）。従って、必ずしもユーザの商品等に関する嗜好性を判別することができるものではなかった。また、ユーザにＣＭの嗜好性に関する何らかの入力をさせるものは、操作が煩雑となるものであり、且つ、誤操作や入力漏れを生じ得るという問題を有するものであった。
【０００８】
特許文献４によって開示される従来技術によれば、商品の買い物履歴に基づいて広告がショッピングカートに表示されるものであるが、当該処理に関しては店内に閉じたシステムであり、商品の買い物履歴をユーザが店を離れて（当該システムを備える店に限定されずに）利用できるものではなかった。
【０００９】
本発明は、上記した点に鑑み、ユーザに煩雑な操作を強いることなくユーザの商品等に関する嗜好性を判別することが可能な携帯情報端末装置の提供、また、ユーザの商品等に関する嗜好性に即したＣＭを表示することが可能な携帯情報端末装置を提供することを目的とする。
【課題を解決するための手段】
【００１０】
本発明に係る第１の携帯情報端末装置は、商品に付されている商品情報を読取り可能な情報読取部と、記憶部と、を備えることにより、前記読取った商品情報を商品照会履歴情報として前記記憶部に蓄積することを特徴とする。
【００１１】
上記構成によれば、例えば、店舗に陳列されている商品に付されている商品情報（例えばＩＣタグやバーコードとして付されている情報等）を、携帯情報端末装置によって読取ることで、当該商品情報が携帯情報端末装置に蓄積される。なお「記憶部」とは、装置固有に備えられるものに限られず、着脱可能なもの（例えばメモリカード等）であってもよい。また、「商品」とは、有体物に限るものではなく、サービス等も含む概念であり、“商品に付されている商品情報”とは、商品に直接付されているものの他、パンフレットなどに付されているものも含むものである。
【００１２】
本発明に係る第２の携帯情報端末装置は、商品に対する決済機能と記憶部を備えることにより、前記決済の履歴を商品支払い履歴情報として前記記憶部に蓄積することを特徴とする。
【００１３】
上記構成によれば、決済機能を有する携帯情報端末装置において、商品（サービス含む）に対する決済が行われた場合には、決済の履歴が蓄積される。なお「記憶部」とは、装置固有に備えられるものに限られず、着脱可能なもの（例えばメモリカード等）であってもよい。
【００１４】
本発明に係る第３の携帯情報端末装置は、上記第１又は第２の携帯情報端末装置であって、前記商品照会履歴情報又は前記商品支払い履歴情報から、ユーザの商品等の嗜好性を判別する嗜好性判別部を備えることにより、前記商品照会履歴情報又は前記商品支払い履歴情報に基づいてユーザの商品の嗜好性を判別可能としたことを特徴とする。
【００１５】
上記構成によれば、商品に関する支払い履歴情報若しくは照会履歴情報を利用してユーザの商品等の嗜好性が判別される。
【００１６】
本発明に係る第４の携帯情報端末装置は、商品に付されている商品情報を読取り可能な情報読取部と、商品が有する属性に対応した構成を有する履歴テーブルを備える記憶部と、嗜好性判別部と、を備えることにより、前記情報読取部によって取得される商品情報に基づいて前記履歴テーブルの対応する商品の属性に履歴情報を蓄積し、前記嗜好性判別部によって前記履歴テーブルに蓄積された情報に基づいたユーザの商品の嗜好性の判別を可能としたことを特徴とする。
【００１７】
上記構成によれば、商品（サービス含む）に関する情報が情報読取部によって取得され、当該情報に基づいて、商品が有する属性に対応した構成を有する履歴テーブルに情報が蓄積され、当該商品の属性別に情報が蓄積された履歴テーブルに基づいてユーザの商品の嗜好性が判別される。
【００１８】
本発明に係る第５の携帯情報端末装置は、商品に対する決済機能と、決済情報取得部と、商品が有する属性に対応した構成を有する履歴テーブルを備える記憶部と、嗜好性判別部と、を備えることにより、前記決済情報取得部によって商品に関する支払い履歴情報を取得し、当該支払い履歴情報に基づいて前記履歴テーブルの対応する商品の属性に履歴情報を蓄積し、前記嗜好性判別部によって前記履歴テーブルに蓄積された情報に基づいたユーザの商品の嗜好性の判別を可能としたことを特徴とする。
【００１９】
上記構成によれば、商品（サービス含む）に関する支払い履歴情報が決済情報読取部によって取得され、当該情報に基づいて、商品が有する属性に対応した構成を有する履歴テーブルに情報が蓄積され、当該商品の属性別に情報が蓄積された履歴テーブルに基づいてユーザの商品の嗜好性が判別される。
【００２０】
本発明に係る第６の携帯情報端末装置は、上記第３乃至第５の携帯情報端末装置の何れか１つであって、配信されるコマーシャル及びコマーシャルの内容を示すコマーシャル情報を受信可能な受信部と、表示部と、前記コマーシャル情報に基づいて前記ユーザの商品等の嗜好性に適合するコマーシャルを判別する嗜好ＣＭ判別部と、を備えることにより、配信されるコマーシャルの中にユーザの商品等の嗜好性に適合するコマーシャルがあるか否かを判別可能とし、嗜好性に適合するコマーシャルがあった場合にはこれを優先的に前記表示部に表示させることを特徴とする。
【００２１】
上記構成によれば、携帯情報端末装置によって判別されたユーザの商品の嗜好性に基づいて、これとコマーシャル情報とを比較することにより、ユーザの商品の嗜好性に適合するコマーシャルがあるか否かが判別され、これがあった場合には当該コマーシャルが優先的に表示される。なお、「優先的に表示させる」とは、例えば、デジタル放送においてＣＭが同時に複数配信されているような場合に、ユーザの嗜好性に適合したものを選択して表示させるようなものや、インターネット等によるインタラクティブなコンテンツ配信がなされるような場合に、ユーザの嗜好性に適合したＣＭの配信要求を行ってこれを表示させるようなもの等であり、なんらかの形で優先的に表示させるものをいう。
【００２２】
本発明に係る第７の携帯情報端末装置は、上記第３乃至第５の携帯情報端末装置の何れか１つであって、配信されるコマーシャル及びコマーシャルの内容を示すコマーシャル情報を受信可能な受信部と、表示部と、当該受信したコマーシャル及びコマーシャル情報を記録する記録媒体と、前記コマーシャル情報に基づいて前記ユーザの商品等の嗜好性に適合するコマーシャルを判別する嗜好ＣＭ判別部と、を備えることにより、前記記録媒体に記録されたコマーシャルの中にユーザの商品等の嗜好性に適合するコマーシャルがあるか否かを判別可能とし、嗜好性に適合するコマーシャルがあった場合にはこれを優先的に前記表示部に表示させることを特徴とする。
【００２３】
上記構成によれば、記録媒体にコマーシャル及びコマーシャルの内容を示すコマーシャル情報が記録され、当該記録されたコマーシャルの中から、携帯情報端末装置によって判別されたユーザの商品の嗜好性に基づいてこれとコマーシャル情報とを比較することにより、ユーザの商品の嗜好性に適合するコマーシャルがあるか否かが判別され、これがあった場合には当該コマーシャルが優先的に表示される。なお、「優先的に表示させる」とは、例えば、現在放送されている番組のＣＭ部分を、記録媒体に記録されたものの中から選択されたＣＭで置き換えるものや、記録媒体に記録されているコンテンツの再生処理中に強制的に選択されたＣＭを挿入するもの等であり、なんらかの形で優先的に表示させるものをいう。「記録媒体」とは、装置固有に備えられるものに限られず、着脱可能なもの（例えばメモリカード等）であってもよい。また、「配信」とは無線や有線を介して行われるもののみならず、記録媒体を介して行われるもの（この場合には「受信部」とは記録媒体から情報を読取るものを指す場合がある）等であってもよい。
【００２４】
本発明に係る第８の携帯情報端末装置は、上記第７の携帯情報端末装置であって、前記嗜好ＣＭ判別部によって抽出したコマーシャルのリストを作成する抽出ＣＭリスト作成部を備えることにより、当該作成した抽出ＣＭリストを前記表示部に表示させ、ユーザから再生要求のあったコマーシャルを再生させる処理を実行する、若しくは、ユーザから詳細情報表示要求のあったコマーシャルについて前記コマーシャル情報に基づいた情報を表示させることを特徴とする。
【００２５】
上記構成によれば、記録媒体に記録されたコマーシャルの中から抽出されたユーザの商品の嗜好性に適合するコマーシャルのリストが表示され、当該リスト中のＣＭに対するユーザの再生要求や詳細情報表示要求があった場合には、これに応じた処理が記録媒体に記録されているコマーシャル又はコマーシャル情報に基づいて実行される。
【００２６】
本発明に係る第９の携帯情報端末装置は、上記第６乃至第８の携帯情報端末装置の何れか１つであって、予め定められた若しくはユーザによって設定された商品を前記記憶部に格納しておき、前記商品支払い履歴情報に基づいて所定期間内に前記記憶部に設定された商品についての購入履歴があったと判断された場合には、所定期間にわたり当該商品に関するコマーシャルの表示優先度を下げることを特徴とする。
【００２７】
上記構成によれば、予め定められた若しくはユーザによって設定された商品について、支払い履歴情報に基づいて所定期間内に購入履歴があったと判断された場合には、所定期間にわたり当該商品に関するコマーシャルの表示優先度が下げられる。なお、「所定期間」とは、予め装置に設定されている若しくはユーザによって設定されたもの等であり、「所定期間内に前記記憶部に」と「所定期間にわたり」における“所定期間”は同一のものであっても良いし、異なる期間であっても構わない。
【００２８】
本発明に係る第１０の携帯情報端末装置は、上記第６乃至第９の携帯情報端末装置の何れか１つであって、所定の商品と所定期間とが対応付けられて格納された商品購入サイクルテーブルを備えることにより、若しくは、前記商品に関する支払い履歴情報に基づいて得られる各商品の購入サイクル情報により、各商品の次回の購入予定時期前後の所定期間に該当すると判断される場合には、当該商品に関するコマーシャルの表示優先度を上げることを特徴とする。
【００２９】
上記構成によれば、商品購入サイクルテーブルの設定、若しくは、支払い履歴情報に基づいて得られる各商品の購入サイクル情報に基づいて、ある商品が次回の購入予定時期前後の所定期間に該当すると判断される場合には、当該商品に関するコマーシャルの表示優先度が上げられる。
【００３０】
本発明に係る第１１の携帯情報端末装置は、上記第３乃至第１０の携帯情報端末装置の何れか１つであって、コンテンツ配信側の装置へネットワークを介して情報を送信する情報送信部を備えることにより、前記ユーザの商品等の嗜好性に関する情報をコンテンツ配信側へと送信することを特徴とする。
【００３１】
上記構成によれば、携帯情報端末装置によって判別されたユーザの商品等の嗜好性に関する情報が、コンテンツ配信側の装置へと送信される。
【００３２】
本発明に係る第１２の携帯情報端末装置は、上記第１１の携帯情報端末装置であって、ユーザによる予めの設定若しくは前記送信時の随時の設定により、送信が許可された情報のみを送信することを特徴とする。
【００３３】
本発明に係る第１のコンテンツ配信システムは、コマーシャルを配信するコンテンツ配信装置と、当該コンテンツ配信装置へ通信回線を介して情報を送信する情報送信部を備え且つ自己の識別情報を有する上記第３乃至第５の何れか１つの携帯情報端末装置と、を備えるコンテンツ配信システムであって、前記嗜好性判別部によって判別されたユーザの商品の嗜好性に関する情報を前記自己の識別情報と共に前記情報送信部から前記コンテンツ配信装置へと送信し、当該情報を受信した前記コンテンツ配信装置において、前記嗜好性情報に適合するコマーシャルを前記識別情報に従って各携帯情報端末装置へと配信することを特徴とする。
【００３４】
上記構成によれば、携帯情報端末装置によって判別されたユーザの商品の嗜好性に関する情報が、当該装置の識別情報と共にコンテンツ配信側の装置へと送信され、これを受信したコンテンツ配信装置において、嗜好性情報に適合するコマーシャルを判別し、当該コマーシャルが該当する装置へと配信される。
【００３５】
本発明に係る第１の商品の嗜好性判別プログラムは、商品に付されている商品情報を読取り可能な情報読取部と、商品が有する属性に対応した構成を有する履歴テーブルを備える記憶部と、嗜好性判別部と、を備える携帯情報端末装置、又は、商品に対する決済機能と、決済情報取得部と、商品が有する属性に対応した構成を有する履歴テーブルを備える記憶部と、嗜好性判別部と、を備える携帯情報端末装置に、前記情報読取部によって商品情報を取得させるステップ又は前記決済情報取得部によって商品に関する支払い履歴情報を取得させるステップと、当該取得した情報に基づいて前記履歴テーブルの対応する商品属性に履歴情報を蓄積するステップと、当該履歴テーブルの全体の中で履歴の多いもの、若しくは、各属性ごとに履歴の多いものを、ユーザの商品の嗜好性情報として、前記嗜好性判別部によって算出させるステップと、を実行させることを特徴とする。
【００３６】
本発明に係る第２の商品の嗜好性判別プログラムは、上記第１の商品の嗜好性判別プログラムであって、配信されるコマーシャル及びコマーシャルの内容を示すコマーシャル情報を受信可能な受信部を備える前記携帯情報端末装置に、前記受信部によって前記配信される複数のコマーシャル及びコマーシャル情報を受信させるステップと、当該受信した複数のコマーシャル情報と前記算出したユーザの商品の嗜好性情報とを比較して最も適合するコマーシャルを判別するステップと、これにより取得されたコマーシャルを優先的に表示させるステップと、を実行させることを特徴とする。
【００３７】
本発明に係る第３の商品の嗜好性判別プログラムは、上記第１の商品の嗜好性判別プログラムであって、配信されるコマーシャル及びコマーシャルの内容を示すコマーシャル情報を受信可能な受信部と、当該受信したコマーシャル及びコマーシャル情報を記録する記録媒体と、を備える前記携帯情報端末装置に、前記受信部によって前記配信されるコマーシャル及びコマーシャル情報を受信しこれらを対応付けて前記記録媒体に記録させるステップと、当該記録媒体に記録されたコマーシャル情報と前記算出したユーザの商品の嗜好性情報とを比較して適合するコマーシャルを判別するステップと、これにより取得されたコマーシャルを優先的に表示させるステップと、を実行させることを特徴とする。
【００３８】
本発明に係る第４の商品の嗜好性判別プログラムは、上記第２又は第３の商品の嗜好性判別プログラムであって、予め定められた若しくはユーザによって設定された商品が格納されている前記携帯情報端末装置に、前記商品に関する支払い履歴情報に基づいて所定期間内に前記格納された商品についての購入履歴があるか否かを判別するステップと、これがあったと判断された場合に所定期間にわたり当該商品に関するコマーシャルの表示優先度を下げるステップと、を実行させることを特徴とする。
【００３９】
本発明に係る第５の商品の嗜好性判別プログラムは、上記第２乃至第４の商品の嗜好性判別プログラムの何れか１つであって、所定の商品と所定期間とが対応付けられて格納された商品購入サイクルテーブルを備える前記携帯情報端末装置に、前記商品に関する支払い履歴情報と前記購入サイクルテーブルを比較することにより各商品の次回の購入予定時期を判別するステップと、当該購入予定時期前後の所定期間において該当する商品に関するコマーシャルの表示優先度を上げるステップと、を実行させることを特徴とする。
【００４０】
本発明に係る第６の商品の嗜好性判別プログラムは、上記第２乃至第５の商品の嗜好性判別プログラムの何れか１つであって、前記商品に関する支払い履歴情報に基づいて、各商品の購入サイクルを判別するステップと、当該購入サイクル情報に基づいて、各商品の次回の購入予定時期を判別するステップと、当該購入予定時期前後の所定期間に該当する商品に関するコマーシャルの表示優先度を上げるステップと、を実行させることを特徴とする。
【発明の効果】
【００４１】
本発明に係る第１の携帯情報端末装置によれば、例えば、店舗に陳列されている商品に付されている商品情報（例えばＩＣタグやバーコードとして付されている情報等）を、携帯情報端末装置によって読取ることで、当該商品情報が携帯情報端末装置に蓄積されるため、携帯情報端末装置において商品情報を確認することが可能となり、又、蓄積された商品情報をユーザの商品に関する嗜好性を判断するために利用することが可能となる。また、携帯情報端末装置に情報が蓄積される為、特定のシステムを備える店舗に限定されることなくユーザが訪れた各店舗などで商品情報を取得でき、より多種多様の情報を蓄積させることができる。従って、当該情報をユーザの商品に関する嗜好性を判断するために利用することでより高精度にユーザの商品に関する嗜好性を判断することが可能となる。
【００４２】
本発明に係る第２の携帯情報端末装置によれば、商品に対する決済が行われた場合には、決済の履歴が蓄積されるため、蓄積された決済の履歴情報をユーザの商品に関する嗜好性を判断するために利用することが可能となる。
【００４３】
本発明に係る第３の携帯情報端末装置によれば、ユーザの商品等に関する関心度を色濃く反映するものである商品に関する支払い履歴情報若しくは商品照会履歴情報に基づいてユーザの商品の嗜好性を判別することができる。
【００４４】
本発明に係る第４又は第５携帯情報端末装置によれば、商品情報又は商品に関する支払い履歴情報に基づいて、商品が有する属性に対応した構成を有する履歴テーブルに情報が蓄積されるため、商品のそれぞれの属性情報に基づいてユーザの商品に関する関心度を判別することが可能であり、より詳細な嗜好性の判断が可能となる。
【００４５】
本発明に係る第６の携帯情報端末装置によれば、携帯情報端末装置によって判別されたユーザの商品の嗜好性に基づいて、これとコマーシャル情報とを比較することにより、ユーザの商品の嗜好性に適合するコマーシャルがあるか否かが判別され、これがあった場合には当該コマーシャルが優先的に表示される。従って、ユーザの商品に関する関心度を色濃く反映するものである商品に関する支払い履歴情報等に基づいて判断されたユーザの商品の嗜好性を用いてＣＭが選択され、個々のユーザの商品に対するニーズに適合したＣＭが優先的に表示されることとなる。よって、ＣＭ提供者側にとってもユーザ側にとっても有益なものとなる。
【００４６】
本発明に係る第７の携帯情報端末装置によれば、コマーシャルを一旦記録媒体に蓄積した後に、蓄積されたコマーシャルの中からユーザの商品に対するニーズに適合したＣＭが選択されて優先的に表示されることとなる。よって、ＣＭの蓄積量が増加すればユーザのニーズに適合するＣＭも多くなり、また、個人情報たる嗜好性に関する情報は携帯情報端末装置内のみで処理されるため、個人情報保護の観点において優れる。
【００４７】
本発明に係る第８の携帯情報端末装置によれば、記録媒体に記録されたコマーシャルの中から抽出されたユーザの商品等の嗜好性に適合するコマーシャルのリストが表示され、当該リスト中のＣＭに対するユーザの再生要求や詳細情報表示要求に従ってＣＭの再生処理や商品等の詳細情報の表示処理が実行される。よって、自己の商品等の嗜好性に適合したＣＭを見たいような場合の操作性に優れ、且つ、ＣＭに付加されて配信されるコマーシャル情報についても表示させることが出来るため、ユーザにとっての利便性に優れると共に、ＣＭ提供者側にとっても、種々の情報をコマーシャル情報として付加して配信させることにより“単に放送されるＣＭ”に比してより効果的な宣伝や情報提供を行うことが可能となる。
【００４８】
本発明に係る第９の携帯情報端末装置によれば、予め定められた若しくはユーザによって設定された商品について、支払い履歴情報に基づいて所定期間内に購入履歴があったと判断された場合には、所定期間にわたり当該商品に関するコマーシャルの表示優先度が下げられる。例えば、車などの商品は一度購入した後はしばらく購入しないのが一般的である（即ち、購入直後のユーザに対して車に関するＣＭを流しても宣伝効果がほとんど無いと考えられるし、ユーザにとっても興味の無いＣＭであると判断し得る）ため、このような性格の商品を予め登録しておくことにより、支払い履歴情報に基づいて“車の購入が最近あった”と判断されたような場合には、所定期間（商品の性格などに応じて適宜定め得る）にわたって車に関するＣＭの表示の優先度が下げられるものであり、ＣＭ提供者側にとってもユーザ側にとっても有益なものとなる。
【００４９】
本発明に係る第１０の携帯情報端末装置によれば、商品購入サイクルテーブルの設定、若しくは、支払い履歴情報に基づいて得られる各商品の購入サイクル情報に基づいて、ある商品が、次回の購入予定時期前後の所定期間に該当すると判断される場合には、当該商品に関するコマーシャルの表示優先度が上げられる。ユーザがほぼ同一サイクルで購入しているような商品がある場合（支払い履歴情報に基づいて判断される場合）には、購入時期に合わせて当該商品のＣＭを流すことで、ＣＭ提供者側にとっては大きな宣伝効果が得られるものであり、且つ、ユーザにとっても有益なものとなり得る。また、商品の性格によっては、常に一定期間で購入することとなるもの（例えば、自動車保険など）も存在する。このような商品については、予め商品購入サイクルテーブルに購入周期を設定して格納しておくことにより、支払い履歴情報に基づいて次回の購入時期を正確に予想することが可能であり、当該時期にＣＭを優先的に流すことで、ＣＭ提供者側にとってもユーザ側にとっても有益なものとなる。
【００５０】
本発明に係る第１のコンテンツ配信システムによれば、携帯情報端末装置によって判別されたユーザの商品の嗜好性に関する情報が、当該装置の識別情報と共にコンテンツ配信側の装置へと送信され、これを受信したコンテンツ配信装置において、嗜好性情報に適合するコマーシャルが判別され、当該コマーシャルが該当する装置へと配信されるため、個々のユーザの商品に対するニーズに適合したＣＭだけを配信させることも可能であり、ＣＭ提供者側にとってもユーザ側にとっても有益なものとなり得る。
【発明を実施するための最良の形態】
【００５１】
以下、本発明の具体的実施例について、図面を参照しながら説明する。なお、以下の実施態様は、本発明を具体化する際の一形態であって、本発明をその範囲内に限定するためのものではない。
【実施例１】
【００５２】
図１は本実施例の携帯電話（携帯情報端末装置）について、商品情報や支払い履歴情報を取得する態様を示した模式図である。図２は同携帯電話の本発明に関する構成の概略を示したブロック図である。
【００５３】
図２に示されるように、携帯電話１は、装置全体の制御や各種演算処理などを行う制御部１０１と、各種データの保存などを行う記憶部１０２と、電話機能を実現する電話機能部１０４と、ユーザに対する入出力インターフェースとなる操作部１０８及び表示部１０９と、各周波数のデジタル放送波を受信するチューナ部１０５と、チューナ部１０５によって受信された信号のデジタル復調処理や、Ｈ．２６４規格に準じた複号化処理などを行うデコーダ部１０６と、デコーダ部１０６から出力された映像データを表示部１０９へと表示させる処理を行う表示処理部１１０と、メモリカード１０３に対する情報の読み書き等を行うメモリリーダ／ライタ部１０７と、当該メモリリーダ／ライタ部１０７に対して脱着されるメモリカード１０３と、電子マネーの決済機能を実現する決済機能部１１２と、商品等に付されている情報を読取る為の情報読取部１１１と、などを備える。なお、「商品等に付されている情報」とは、なんらかの形で電子化された情報若しくは商品等に記載されている文字情報そのものなどであってもよく、情報読取部１１１はこれらの情報を光学的手法や電磁波を利用すること等によって読取るものである。具体的には例えば、商品やカタログなどに付されたバーコード情報を、光学的手法を用いて読取るものや、商品に付されたＩＣタグから電磁波を利用することによって情報を読取るもの等である。
【００５４】
図３〜８は、携帯電話１の本発明に関する動作の概略を示すフローチャートである。
【００５５】
図３は、商品情報又は支払い履歴情報の取得動作の概略を示したフローチャートである。ステップ３０１とステップ３０２では、商品情報の読取要求の有無と電子マネーによる決済の有無を判別する。「商品情報の読み取り」とは、前述したように、商品等に付されている情報（例えばバーコードやＩＣタグ等）から情報読取部１１１によって情報を読取るものであり、商品情報とは、例えば、商品名（“ビール”などの商品の普通名称や、例えば“北海道生絞りのどごし一番”などの個別の商品名である場合がある）や、商品のカテゴリ（例えば、“食品”などの各属性）、商品のスペック情報、商品の産地・販売地・原材料などの情報、販売者情報、製造者情報、価格情報などである。「電子マネーによる決済」とは、商品に対する対価の支払い方法の一形態である。なお、“商品”とは有体物に限定されるものではなく、サービス等も含むものである（サービスに関する情報の読み取りや、サービスに対する対価の決済も同様の概念たり得る）。
【００５６】
商品情報の読み取り要求があった場合には（ステップ３０１）、商品に付されているＩＣタグ等から情報読取部１１１によって情報を読取り（ステップ３０３）、当該読取った商品情報を読取った日の日時情報と対応付けてメモリカード１０３に蓄積する（ステップ３０４）。なお、商品情報の読取りは、以下に説明する本発明の利用のためのみに行うものであっても構わないが、現在では商品にトレーサビリティ情報をＩＣタグ等によって付すことも行われており、「これらの情報を見る」という行為に伴って商品情報を取得できるため、ユーザの普段の生活の中で自然に蓄積され得るものである。なお、当該処理によって取得された情報を以下「商品照会履歴情報」と称する。
【００５７】
電子マネーによる決済があった場合には（ステップ３０２）、決済機能部１１２による決済処理（電子マネー決済端末３との間でデータの送受信を行って決済を実行する処理）を行い（ステップ３０５）、電子マネー決済端末３を介してＰＯＳシステム４から商品名等の商品情報と購入数量情報などを取得して、当該情報（支払い履歴情報）を読取った日の日時情報（ＰＯＳシステム４から取得される決済日時情報であってもよい）と対応付けてメモリカード１０３に蓄積する（ステップ３０６）。当該処理によって取得された情報（支払い履歴情報）を以下「購入履歴情報」と称する。又、「商品照会履歴情報」と「購入履歴情報」の総称として「商品照会履歴等情報」という語を用いる場合がある。なお、上述からも明らかなように、電子マネー決済端末３は、ＰＯＳシステム４から必要な情報を取得できるように構成されるものであり、決済機能部１１２は当該電子マネー決済端末３から商品に関する支払い履歴情報を取得できる（決済機能部１１２は“決済情報取得部”としても機能する）ものである。
【００５８】
本実施例の携帯電話１は、図１の模式図に示されるように、ユーザによって使用されることで、店頭にある商品２に付されている商品情報２１から商品情報を取得してメモリカード１０３に蓄積した情報、若しくは、商品購入時の電子マネー決済の際に電子マネー決済端末３を介してＰＯＳシステム４から情報を取得してメモリカード１０３に蓄積した情報に基づいて、以下で説明するように、ユーザの商品に関する嗜好性を判別しこれを利用するものである。なお、本発明の携帯電話１は、判別されたユーザの商品に関する嗜好性に基づいて、嗜好性に適合するＣＭの選択を行うことを主たる目的としており、その前提として、配信されるコマーシャルにはその内容を示すコマーシャル情報が対応付けられて配信されているものとする。
【００５９】
次に、携帯電話１の本発明に関する動作の概略を、図４を参照しつつ説明する。前述のごとくユーザによる携帯電話１の使用により蓄積された情報から、ユーザの商品に関する嗜好性を判別するための情報を定期的に抽出するために、計時機能を有する制御部１０１によって午前０時の到来を判別し（ステップ４０１）、午前０時が到来するごとに、ステップ４０６へと移行して「履歴テーブル更新処理」を実行する。
【００６０】
図５は、図４のステップ４０６で実行される「履歴テーブル更新処理」の動作の概略を示したフローチャートである。
【００６１】
ステップ５０１では、メモリリーダ／ライタ部１０７によってメモリカード１０３に蓄積されている商品照会履歴等情報を取得し、続くループ１の処理へと移行する。ループ１の処理は、各商品照会履歴情報、購入履歴情報に基づき、それぞれの属性に応じて各テーブルに履歴として情報を蓄積するものである。
【００６２】
図９・図１０は、携帯電話１の記憶部１０２に備えられるテーブルの構成（若しくはその概念）を示す図である。図１０は商品が有する各属性ごとの履歴が蓄積される履歴テーブルの一例を示したものである。図９は、これらの各属性の相関関係を示した図であり、“カテゴリテーブル”の設定により、このように各属性が階層化されたカテゴリに分類される（なお、“カテゴリテーブル”の具体的な構成については特に図示しないが、本明細書の趣旨に沿って各属性が相互に関連付けられるものであればよい）。図９・図１０に示されるように、本実施例では商品等の属性がカテゴリ１〜カテゴリ５（カテゴリ５は個別の商品名である）に階層化されており、カテゴリ１が最も上位概念となり“食品”や“家電”といった項目（属性）が存在する。下位の階層は上位の階層の項目の何れかに属することとなる（例えば“ビール”は、“アルコール”・“飲料”・“食品”に属する）。なお、商品が有する属性の中には、図９の階層構造になじまないものも存在する（例えば、図１０（ｃ）に示した“メーカ”という属性）ため、全ての属性が階層化されて関連付けられる必要は無い。また、ここで示したものはあくまで一例であり、これとは異なる概念で各属性が関連付けられるものであっても構わない。なお、図１０の各履歴テーブルは各階層に属する項目を全て有するものである（例えば、カテゴリ４テーブル１００２は、カテゴリ３の“アルコール”に属するカテゴリ４の項目のみを有するのではなく、カテゴリ４の階層に該当する全ての項目を有するものである）。
【００６３】
図５に戻って処理の説明を続ける。ループ１内のステップ５０２では、処理対象が商品照会履歴情報であるか購入履歴情報であるかを判別し、商品照会履歴情報であった場合には、当該商品照会履歴情報（前述したように商品名や、商品のカテゴリ情報などが含まれる）とカテゴリテーブルに基づいて、当該商品（商品情報を読取られた商品）が図９のどの項目に該当するかを判別し、該当する項目が属する上位のカテゴリの項目も取得する（ステップ５０５）。例えば、“商品照会履歴情報”に、商品がビールで商品名がＢＢＢである旨の情報が含まれていた場合には、“食品”・“飲料”・“アルコール”・“ビール”・“ＢＢＢ”の各項目が取得されることとなり、続くステップ５０６で、これらの各項目について各履歴テーブルに履歴が蓄積される。なお、メーカテーブル１００３についても該当する情報があった場合には履歴が蓄積される。カテゴリテーブルに無い新しい情報が含まれている場合には、適宜カテゴリテーブル及び履歴テーブルの構成を更新するものであってよい（例えば、“ビール”について新しい商品名“ＺＺＺ”があった場合には、カテゴリ５にＺＺＺを追加するなど）。
【００６４】
一方、ステップ５０２の判断において処理対象が購入履歴情報であった場合にはステップ５０３へと移行する。ステップ５０３の処理概念はステップ５０５と同様である。続くステップ５０４では、ステップ５０３で取得した各項目について、該当商品の購入数量に応じた履歴を各履歴テーブルに蓄積する（例えばビールを５本以上買った場合には２ポイント履歴を増加させるなど）。なお、商品の金額に応じて履歴の増加量を変化させるものや、数量及び金額の双方を加味して履歴の増加量を変化させるもの等であってもよいし、特にこのような増減は行わず常に一定の加算処理としても構わない。
【００６５】
ループ１では、メモリカード１０３に蓄積されていた全ての商品照会履歴等情報に対して上記ステップ５０２〜ステップ５０６の処理を繰返すことにより、全ての商品照会履歴等情報に基づいて履歴情報を抽出し（日付情報に基づくなどして既に履歴情報が抽出されたと判断される商品照会履歴等情報については、履歴情報の抽出は行わない）、各履歴テーブル（図１０）に情報が蓄積される（当該情報はユーザの商品などに対する嗜好性を反映している情報といえる）。
【００６６】
ループ１の処理が終了すると、ループ２の処理へと移行する。ループ２の処理は、各履歴テーブルに蓄積された情報に基づいて、各カテゴリごとの上位５項目を抽出して優先ポイントテーブル（図１１）に格納する処理である。ステップ５０７とステップ５０８の処理により、カテゴリｎの履歴テーブルの中から上位の５項目が抽出されて優先ポイントテーブル１１００に格納され、当該処理がｎが１〜６となるまで繰返されることで、各カテゴリの上位５項目が抽出されて優先ポイントテーブル１１００に格納されるのである。なお、ここでは便宜的にメーカをカテゴリ６とすることで処理の説明を簡略化している。
【００６７】
以上のような「履歴テーブル更新処理」により、日付が変わる度に、各履歴テーブルの更新処理が行われ、当該各履歴テーブルに基づいて優先ポイントテーブル１１００が更新される。なお、本実施例では、上位５項目を抽出して優先ポイントテーブルに格納するものとしているが、これに限るものではなく、さらに多数（若しくは少数）の項目を抽出するものであってもよい。
【００６８】
図４に戻って説明を続ける。ステップ４０２〜ステップ４０５は、それぞれ、ＣＭ放送受信の有無（ステップ４０２）、抽出ＣＭリスト表示要求の有無（ステップ４０３）、多重ＣＭ放送受信の有無（ステップ４０４）、録画コンテンツ再生要求の有無（ステップ４０５）、を判別するものである。
【００６９】
チューナ部１０５によってＣＭ放送が受信されているとデコーダ部１０６及び制御部１０１によって判断された場合には（ステップ４０２）、ＣＭとＣＭ情報とを対応付けて、メモリリーダ／ライタ部１０７によってメモリカード１０３に記録する（ステップ４０７）。当該処理により、チューナ部１０５によって受信されたＣＭ（及びＣＭ情報）が記録媒体に蓄積されていく。なお、ＣＭ情報とは、例えば、各ＣＭのタイトル情報や、ジャンル情報、出演者情報、長さ（時間）情報、などであり、商品情報や企業情報なども含まれるものである。本発明では主に商品情報や企業情報を利用するものである。なお、ＣＭの録画時に録画日時情報を付加しておき（若しくはＣＭ情報に含まれる情報を利用することで）、古くなったＣＭは自動的に削除するような処理としても良い。また、同一のＣＭが複数蓄積されてしまうことを防止するために、ステップ４０７の処理において、ＣＭ情報に基づいて既に記録媒体に蓄積されているＣＭと同一のものであると判断される場合には、これを蓄積しないようにしても良い。
【００７０】
ユーザが操作部１０８を操作することなどにより抽出ＣＭリスト表示要求を行った場合には（ステップ４０３）、「抽出ＣＭリスト表示処理」が実行される（ステップ４０８）。なお、“抽出ＣＭリスト”とは、上記処理によって記録媒体（メモリカード１０３）に蓄積されているＣＭの中からユーザの嗜好性に適合するものを抽出したリストである。
【００７１】
図６は、図４のステップ４０８で実行される「抽出ＣＭリスト表示処理」の動作の概略を示したフローチャートである。ステップ６０１では、記録媒体に記録されている各ＣＭに対して、対応するＣＭ情報に基づいて優先ポイントテーブル１１００に適合する項目があった場合にはこれらのポイントを合算して各ＣＭに対してポイントを付与する処理を行う。例えば、ＣＭ情報から当該ＣＭが、Ａ社の商品名がＢＢＢのビールに関するＣＭであると判断された場合には、図９より当該商品は“食品”・“飲料”・“アルコール”・“ビール”・“ＢＢＢ”の属性を有し、且つ“Ａ社”という属性を有することとなるため、これらの項目を優先ポイントテーブル１１００と照合し、適合する項目があった場合には該当するポイントを合算する処理を行うものである（例えば、カテゴリ１で食品が１位であり、カテゴリ４でビールが５位であった場合には６ポイントとなる）。
【００７２】
続くステップ６０２では、上記処理によってポイントが付加された各ＣＭを、ポイントの大きな順に並べた「抽出ＣＭリスト画面」を表示部１０９に表示する処理を行う。図１２（ａ）と（ｃ）にはそれぞれ、２０代女性の商品等の嗜好性に基づいて作成された「抽出ＣＭリスト画面」の一例と、５０代男性の商品等の嗜好性に基づいて作成された「抽出ＣＭリスト画面」の一例を示した。
【００７３】
ステップ６０３〜ステップ６０５では、「抽出ＣＭリスト画面」に対するユーザの操作を待ち、ユーザの操作が、ＣＭ再生指示であった場合には（ステップ６０３）、選択されたＣＭ（記録媒体に記録されているＣＭ）の再生処理を実行し（ステップ６０６）、商品に関する詳細情報表示要求であった場合には（ステップ６０４）、ＣＭ情報に含まれている商品に関する情報を表示させる処理を実行させる（ステップ６０７）。図１２の（ｂ）と（ｄ）には詳細情報表示画面の一例を示した。ユーザから“終了”の指示があった場合には、「抽出ＣＭリスト表示処理」の処理を終了する（ステップ６０５）。
【００７４】
図４に戻って説明を続ける。チューナ部１０５によって多重ＣＭ放送が受信されている（ユーザによって多重ＣＭ放送が視聴されている）とデコーダ部１０６及び制御部１０１によって判断された場合には（ステップ４０４）、「嗜好ＣＭ選択・表示処理」を実行する（ステップ４０９）。“多重ＣＭ放送”とは、複数のＣＭが同時に配信されるものであり、「嗜好ＣＭ選択・表示処理」とは、当該複数のＣＭの中から最も嗜好性に適合するＣＭを選択して表示させるものである。
【００７５】
図７は、図４のステップ４０８で実行される「嗜好ＣＭ選択・表示処理」の動作の概略を示したフローチャートである。ステップ７０１の処理概念は図６のステップ６０１と同様であり、受信される複数のＣＭに対して行うものである。続くステップ７０２では、ステップ７０１の結果、最もポイントの大きなＣＭを選択しこれを表示部１０９に表示させる処理が実行される。これらの処理によって、複数のＣＭの中から最もユーザの嗜好性に適合するＣＭが選択されて表示される。
【００７６】
図４に戻って説明を続ける。ユーザから録画コンテンツの再生要求があった場合には（ステップ４０５）、「嗜好ＣＭ選択・挿入処理」を実行する（ステップ４１０）。録画コンテンツの再生とは、記録媒体に記録されているコンテンツの再生である。
【００７７】
図８は、図４のステップ４１０で実行される「嗜好ＣＭ選択・挿入処理」の動作の概略を示したフローチャートである。ステップ８０１の処理は図６のステップ６０１と同様である。続くステップ８０２とステップ８０３では、コンテンツの再生が終了するまで、所定期間ごと（例えば１５分おき）にＣＭを（ステップ８０１によって得られた最もポイントの大きなＣＭから順番に）挿入する処理を実行する。これらの処理によって、録画コンテンツの再生中に、記録媒体に記録されたＣＭの中からユーザの嗜好性に適合するＣＭが選択されて表示されることとなる。
【００７８】
以上のごとく、本実施例の携帯電話１によれば、商品（サービス含む）に関する支払い履歴情報（購入履歴情報）若しくは照会履歴情報を取得・蓄積することができ、ユーザの商品に関する関心度を色濃く反映するものである商品に関する支払い履歴情報若しくは照会履歴情報に基づいてユーザの商品の嗜好性を判別することができる。また、商品が有する属性に対応した構成を有する履歴テーブルに情報が蓄積されるため、それぞれの商品の属性情報に基づいてユーザの商品に関する関心度を判別することが可能であり、より詳細な嗜好性の判断が可能となる。当該嗜好性の判断の基礎となる情報（支払い履歴情報若しくは商品照会履歴情報）は、ユーザの日常の行動の中で自然に蓄積し得る情報（特定の店舗内の商品に関する情報に限られず、様々な状況での情報の蓄積が可能）であるため、ユーザに煩雑な操作を強いることなく、ユーザの商品に関する嗜好性の判断を行わせることが可能である。
【００７９】
さらに、ユーザの商品等の嗜好性を示す情報（優先ポイントテーブル）に基づいて、これとコマーシャル情報とを比較することにより、ユーザの商品の嗜好性に適合するコマーシャルがあるか否かが判別され、これがあった場合には当該コマーシャルが優先的に表示されるため、個々のユーザの商品に対するニーズに適合したＣＭが優先的に表示（例えば、多重ＣＭ放送の中から嗜好性に適合するＣＭを選択して表示すること等）されることとなる。
【００８０】
また、記録媒体に記録されたコマーシャルの中から抽出されたユーザの商品の嗜好性に適合するコマーシャルのリストが表示され、当該リスト中のＣＭに対するユーザの再生要求や詳細情報表示要求に従ってＣＭの再生処理や商品の詳細情報の表示処理が実行される。よって、自己の商品の嗜好性に適合したＣＭを見たいような場合の操作性に優れ、且つ、ＣＭに付加されて配信されるコマーシャル情報についても表示させることが出来るため、ユーザにとっての利便性に優れると共に、ＣＭ提供者側にとっても、種々の情報をコマーシャル情報として付加して配信させることにより単に“放送されるＣＭ”に比してより多様で効果的な宣伝や情報提供を行うことが可能となる。
【００８１】
なお、本実施例では携帯情報端末装置の一例として放送波を受信可能な携帯電話を使用して説明したが、図１３に示したように、インターネット等のネットワークを介してコンテンツを受信する装置等（携帯電話に限られずＰＤＡや携帯型のゲーム機などであってよい）であっても本発明を有効に適用することができる。即ち、携帯情報端末装置６において判断されたユーザの嗜好性情報に基づいて、コンテンツ配信サーバ７の記憶部７３に格納されているＣＭ情報ＤＢ７３１に蓄積されているＣＭ情報を参照して、ユーザの嗜好性に適合するＣＭの配信要求をコンテンツ配信サーバ７に送信するようなもの等であってもよい。また、本実施例では決済がある度に決済機能部１１２によって“購入履歴情報”を取得するものとしている（図３：ステップ３０２〜ステップ３０６）が、各店舗内のサーバ（ＰＯＳシステム等）若しくはカード会社（電子マネーの決済を行う企業）のシステムが許すのであれば、これらのシステムから“購入履歴情報”をインターネット８を介してまとめて収集するようなものであっても構わない。
【００８２】
また、携帯電話１によって取得した購入履歴情報若しくは照会履歴情報に基づいて、ユーザの商品の嗜好性を判別する具体的な手法については上記に例示したものに限られず、適宜異なる手法を採用することができる（例えば、本実施例では、一定期間ごとに商品照会履歴等情報から必要な情報を抽出して履歴テーブルに蓄積するものとしているが、所定期間を経過した商品照会履歴等情報については削除するものとし、これらの商品照会履歴等情報に基づいて必要に応じて履歴テーブルを更新する処理とすることで、新しい情報のみが反映されるようにしたり、商品照会履歴等情報から必要な情報を抽出して履歴テーブルに蓄積（更新）する際に、更新前の履歴データ（度数）に対して１以下の係数（例えば０．９）を乗算した後に、新たな度数を加算するようにすることで、古い情報の相対的な重み付けを小さくするようにする等してもよいし、優先ポイントテーブルのポイントの付加の仕方や構成を変更したり、優先ポイントテーブルによらない方法であってよい）。同様に嗜好性に適合するＣＭを選択する具体的な手法についても適宜異なる手法を採用してよい（例えば、本実施例では優先ポイントテーブルに適合する最も大きなポイントを有するＣＭが常に選択されるものとしたが、当該ポイントに応じて異なる確率でＣＭが選択されるように（大きなポイントのＣＭ程高確率でヒットするように）係数を付してランダムでＣＭを抽出するようにしてもいいし、ユーザの選択などに従って特定のカテゴリのみに基づいて嗜好性を判別するようにする等してもよい）。
【００８３】
上記した実施例の説明からも明らかなように、本実施例の携帯電話１では、制御部１０１と記憶部１０２に格納される各種データ及び制御部１０１によって実行されるプログラム等によって、“嗜好性判別部”や“嗜好ＣＭ判別部”や“抽出ＣＭリスト作成部”が構成される（各構成部材がソフトウェア的に構成される）ものであるが、こられの構成部材を専用のハードウェアで構成するものであっても構わない。
【実施例２】
【００８４】
図１４は、本実施例の携帯電話が備えるテーブルの構成の一例を示した図であり、図１５は、同携帯電話の本発明に関する動作の概略を示すフローチャートである。なお、本実施例の携帯電話の構成は実施例１の携帯電話と同様であるため、ここでの説明を省略し、必要があるときは、図２等を参照しつつ説明する。
【００８５】
本実施例の携帯電話は、図１４に示されるような特定商品テーブル１４００を備えており、商品若しくはサービス（図９に示されるカテゴリ４と同レベルの情報）と、期間情報と、マイナスポイント情報と、が予め若しくはユーザによる設定によって格納されている。
【００８６】
上記構成のテーブルを備える本実施の携帯電話の処理動作は、基本的には実施例１の携帯電話と同様であるが、本実施例の携帯電話における「履歴テーブル更新処理」は、図１５に示したような処理となる。なお、実施例１（図５）と同様の処理概念となるものについては同一の符号を使用し、ここでの説明を省略する（ループ２内の処理については同一の処理であるため、記載を省略している）。
【００８７】
ステップ５０２における判断の結果、処理対象のデータが「購入履歴情報」であった場合には、ステップ５０３〜ステップ５０４の処理の後のステップ１５０１において、特定商品テーブル１４００を参照して、購入履歴情報に基づいて当該商品（購入された商品）が特定商品テーブル１４００に設定されている商品に該当するか否かを、制御部１０１によって判別する。当該判別の結果、特定商品テーブル１４００に設定されている商品に該当する場合には、特定商品テーブル１４００の当該商品に対応する“最終購入日”を更新する（ステップ１５０２）。
【００８８】
上記処理によって、特定商品テーブル１４００に設定されている商品について、外部装置（携帯電話２）から得られる購入履歴情報に基づき、購入があったと判断された場合には、直近の購入日が特定商品テーブル１４００に格納されることとなる。
【００８９】
本実施例のデジタルテレビでは、「抽出ＣＭリスト表示処理」（図６）のステップ６０１、「嗜好ＣＭ選択・表示処理」（図７）のステップ７０１、「嗜好ＣＭ選択・挿入処理」（図８）のステップ８０１の各処理における、各ＣＭのポイント合算（優先ポイントテーブル１１００と適合するポイントの合算）処理において、特定商品テーブル１４００を参照して当該テーブルに設定されている商品であって当該商品の最終購入日から所定期間（特定商品テーブル１４００に設定されている“期間”）を経過していないものに該当するＣＭであるか否かを判別し、これに該当する場合には、特定商品テーブル１４００に設定されているマイナスポイントを各ＣＭに付与されたポイントから減ずる処理が実行される。なお、当該処理を行うための構成として、制御部１０１は時計機能を備えているものとする（制御部１０１とは別に、専用の“タイマ部”が備えられるものであっても構わない）。
【００９０】
以上の構成を備える本実施例の携帯電話によれば、特定商品テーブル１４００に設定された商品（サービス含む）について購入履歴があり、且つ、当該購入日から特定商品テーブル１４００に設定された期間を経過していない場合には、当該商品に該当するＣＭの表示優先度が下げられることとなる（“合算ポイント”が減少するため）。例えば、車などの商品は一度購入した後はしばらく購入しないのが一般的である（即ち、購入直後のユーザに対して車に関するＣＭを流しても宣伝効果がほとんど無いと考えられるし、ユーザにとっても関心度の低いＣＭになっていると判断し得る）ため、このような性格の商品を予め登録しておくことにより、支払い履歴情報（購入履歴情報）に基づいて“車の購入が最近あった”と判断されたような場合には、所定期間（商品の性格などに応じて適宜定め得る）にわたって車に関するＣＭの表示の優先度が下げられるものであり、ＣＭ提供者側にとってもユーザ側にとっても有益なものとなるのである。
【００９１】
なお、本実施例では、マイナスポイントを一定の値としているが、例えば、最終購入日からの期間の経過に応じてマイナスポイント（ＣＭ表示の優先度）を変化させるような処理（購入直後は大きなマイナスポイントとし、以降徐々にマイナス量を減らす処理など）としてもよく、特定商品テーブルに設定された商品についてＣＭ表示の優先度を下げる具体的な手法については適宜選択可能である（例えば、所定期間内は該当ＣＭが全く表示されないようにするもの等であってもよい）。
【００９２】
また、本発明が適用される装置が該当する商品（本実施例では“携帯電話”）については、工場出荷後の始めての電源投入時をもって、自動的に特定商品テーブル１４００の最終購入日を更新する処理（例えば、本実施例の携帯電話が購入された場合には、購入後（工場出荷後）の最初の電源投入時に、特定商品テーブル１４００における“携帯電話”の最終購入日を更新することで、以後所定期間の間携帯電話に関するＣＭの表示優先度を下げるようにするもの）としてもよい。
【実施例３】
【００９３】
図１６・図１７は、本実施例の携帯電話の本発明に関する動作の概略を示すフローチャートである。なお、本実施例の携帯電話の構成は実施例１の携帯電話と同様であるため、ここでの説明を省略し、必要があるときは、図２等を参照しつつ説明する。
【００９４】
図１６は、本実施例の携帯電話における「履歴テーブル更新処理」である。なお、実施例１（図５）と同様の処理概念となるものについては、実施例１と同一の符号を使用し（ループ２内の処理については同一の処理であるため、記載を省略している）、ここでの説明を省略する。
【００９５】
ステップ５０２における判断の結果、処理対象のデータが「購入履歴情報」であった場合には、ステップ５０３〜ステップ５０４の処理の後のステップ１６０１において、カテゴリ４の履歴テーブルに、該当する商品の購入日時情報を蓄積する処理を行う。
【００９６】
図１８には、当該処理によって作成されるカテゴリ４テーブルの構成の一例を示した。このように、カテゴリ４テーブル１８００には、該当する商品の購入履歴が蓄積されて保持されることとなる。
【００９７】
図１７は、優先商品テーブル更新処理の動作の概略を示すフローチャートである。ステップ１７０１では、制御部１０１によって午前０時の経過を監視し、日付が変わったと判断された場合にはステップ１７０２へと移行して、カテゴリ４テーブル１８００に蓄積されたデータに基づいて各商品（サービス含む）の購入サイクルを判別する。なお、当該購入サイクルの算出方法は適宜採択可能な方式によればよい（例えば、単純に各購入日の間隔の平均値を取るものであっても構わないし、確率統計学に基づく算出方法を採用するもの等であってよい）。
【００９８】
続くステップ１７０３では、購入サイクルを算出できた商品の中で、当該算出された購入サイクルと最終購入日とから次回購入予定時期を算出し当該次回購入予定時期の前後の所定期間内（“所定期間”に関する情報は予め若しくはユーザによって設定されて記憶部１０２に格納されているものであり、商品の別に応じて異なる期間とされるものなどであってよい。また、前記算出された購入サイクルに応じて自動的に算出するもの等（例えば購入サイクルの３０％を“所定期間”とする等）であってもよい）に該当するものを、優先商品テーブルに格納する処理を実行する。当該処理によって生成される優先商品テーブル１９００の構成の一例を図１９に示した。
【００９９】
本実施例の携帯電話では、「抽出ＣＭリスト表示処理」（図６）のステップ６０１、「嗜好ＣＭ選択・表示処理」（図７）のステップ７０１、「嗜好ＣＭ選択・挿入処理」（図８）のステップ８０１の各処理における、各ＣＭのポイント合算（優先ポイントテーブル１１００と適合するポイントの合算）処理において、優先商品テーブル１９００を参照して当該テーブルに設定されている商品に該当するＣＭであるか否かを判別し、これに該当する場合には、優先商品テーブル１９００に設定されているプラスポイントを各ＣＭに付与されたポイントに加算する処理が実行される。
【０１００】
以上の構成を備える本実施例の携帯電話によれば、支払い履歴情報（購入履歴情報）に基づいて得られる各商品の購入サイクル情報に基づいて、ある商品が、次回の購入予定時期前後の所定期間に該当すると判断される場合には、当該商品に関するコマーシャルの表示優先度が上げられることとなる（“合算ポイント”が増加するため）。ユーザがほぼ同一サイクルで購入しているような商品がある場合（購入履歴情報に基づいて判断される場合）には、購入時期に合わせて当該商品のＣＭを流すことで、ＣＭ提供者側にとっては大きな宣伝効果が得られるものであり、且つ、ユーザにとっても有益となるものである。
【０１０１】
なお、商品の性格によっては、常に一定周期で購入することとなるもの（例えば、自動車保険など）も存在する。このような商品については、予め商品購入サイクルテーブル（図２０にその構成の一例を示した）に購入周期を設定して格納しておくことにより、支払い履歴情報に基づいて次回の購入時期をかなり正確に予想することが可能であり、当該時期の前後に該当するＣＭを優先的に流すことで、ＣＭ提供者側にとってもユーザ側にとっても有益なものとなる。なお、図２０に示される商品購入サイクルテーブル２０００では、上記説明した“装置によって判別される商品購入サイクルに基づいてポイントを付与するもの”（図１９）に比して高いポイントが付与されている。これは、装置によって購入サイクルが判別されたものに比してより高い確率で該当商品の購入が予想されるため、ＣＭの効果なども高くなることが期待されるため、より優先的に該当ＣＭを表示させるものである。なお、本実施例（図１９・図２０）では、いずれの商品も同じポイントが付加されるものとしているが、商品の別や購入サイクルの別などに応じて異なるポイントを付与するようにしても構わない。
【実施例４】
【０１０２】
図２１は、本実施例のコンテンツ配信システムの本発明に関する構成の概略を示したブロック図であり、図２２・図２３は、同システムの本発明に関する動作の概略を示したフローチャートである。なお、図１３と同様の構成要素については図１３と同一の符号を使用し、ここでの説明を簡略化若しくは省略する。
【０１０３】
本実施例のコンテンツ配信システムは、複数の携帯情報端末装置６と、コンテンツ配信サーバ９とが、インターネット８を介して相互に接続されることで、コンテンツ配信サーバのコンテンツＤＢ７３２に蓄積されているコンテンツ（ＣＭを含む）を、各携帯情報端末装置６へと配信するものである。コンテンツ配信サーバ９は、装置全体の制御や各種演算処理などを行う制御部７１と、各種データの保存などを行う記憶部７３と、データの送受信を行う通信部７２などを備え、記憶部７３には、各種コンテンツ（ＣＭを含む）が蓄積されているコンテンツＤＢ７３２と、ＣＭ情報が蓄積されるＣＭ情報ＤＢ７３１と、各携帯情報端末装置６から収集した嗜好情報が蓄積される嗜好情報ＤＢ７３９等が備えられる。
【０１０４】
図２２は、本実施例のコンテンツ配信システムを構成する携帯情報端末装置６の本発明に関する動作の概略を示したフローチャートである。なお、携帯情報端末装置６には、装置を一意に定める“装置識別情報”が予め付与されて記憶部１０２に格納されているものとする。ステップ２２０１とステップ２２０２は、商品情報等に基づいてユーザの商品に対する嗜好性に関する情報を取得するための処理であり、実施例１（図４）のステップ４０１とステップ４０６（図５の処理）と同様の処理概念であるため、ここでの説明を省略する。
【０１０５】
続くステップ２２０３では、ステップ２２０１〜ステップ２２０２の処理によって取得した嗜好情報（即ち、実施例１で説明した各履歴テーブルの情報、若しくは、優先ポイントテーブルの情報等）を、自己の“装置識別情報”と共に通信部６０１からコンテンツ配信サーバ９へと送信する。
【０１０６】
上記した情報を受信したコンテンツ配信サーバ９では（図２３：ステップ２３０１）、受信した嗜好情報と装置識別情報とを対応付けて嗜好情報ＤＢ７３９に格納する（ステップ２３０２）。そして、各携帯情報端末装置６にＣＭを配信する際には、嗜好情報ＤＢ７３９を参照して、各携帯情報端末装置６に適合するＣＭを判別し（当該判別処理の概念は上記で説明してきたものと同様である）、これを配信する（ステップ２３０３）。
【０１０７】
上記構成のコンテンツ配信システムによれば、携帯情報端末装置６によって判別されたユーザの商品の嗜好性に関する情報が、当該装置の識別情報と共にコンテンツ配信サーバ９へと送信され、これを受信したコンテンツ配信サーバ９において、嗜好性情報に適合するコマーシャルが判別され、当該コマーシャルが該当する携帯情報端末装置へと配信されるため、個々のユーザの商品に対するニーズに適合したＣＭだけを配信させることも可能であり、ＣＭ提供者側にとってもユーザ側にとっても有益なものとなり得る。
【０１０８】
なお、本実施例では、得られたユーザの商品の嗜好性に関する情報について、特に制限を設けずにコンテンツ配信サーバに送信するものとしたが、ユーザによる予めの設定若しくは送信時の随時の指示（送信処理時にユーザに指示を求める画面を表示させる等）に従って、送信が許可された情報のみを送信するようにしてもよい。
【０１０９】
実施例中では、携帯情報端末装置の具体例として携帯電話を使用し、商品情報の読み取りも電子マネーによる決済処理も可能なものを例として説明したが、商品情報の読み取り機能若しくは決済機能の何れか一方のみを有する装置であってよく、また、携帯情報端末装置を携帯電話に限るものではなく、上記で説明した趣旨に沿った機能を備える装置であれば、他の装置（例えばＰＤＡや携帯ゲーム機など）であって良い。
【０１１０】
また、実施例中では、携帯電話におけるＣＭなどの記録先としてメモリカード１０３を例として説明したが、他の着脱可能な記録媒体であっても構わないし、装置内に固有に備えられる記録媒体（例えば記憶部１０２）に対して情報を記録するものであっても構わない。
【図面の簡単な説明】
【０１１１】
【図１】本発明の携帯電話において商品情報などを取得する態様を示した模式図
【図２】携帯電話の本発明に関する構成の概略を示したブロック図
【図３】商品情報などの取得動作の概略を示したフローチャート
【図４】実施例１の携帯電話の本発明に関する動作の概略を示すフローチャート
【図５】履歴テーブル更新処理の動作の概略を示したフローチャート
【図６】抽出ＣＭリスト表示処理の動作の概略を示したフローチャート
【図７】嗜好ＣＭ選択・表示処理の動作の概略を示したフローチャート
【図８】嗜好ＣＭ選択・挿入処理の動作の概略を示したフローチャート
【図９】カテゴリテーブルによって定められる商品等が有する属性の関係を示す図
【図１０】各カテゴリごとに設けられる履歴テーブルの一例を示す図
【図１１】優先ポイントテーブルの構成の一例を示す図
【図１２】表示画面の一例を示す図
【図１３】コンテンツ配信システムの構成の概略を示すブロック図
【図１４】特定商品テーブルの構成の一例を示す図
【図１５】実施例２の履歴テーブル更新処理の動作の概略を示したフローチャート
【図１６】実施例３の履歴テーブル更新処理の動作の概略を示したフローチャート
【図１７】優先商品テーブル更新処理の動作の概略を示したフローチャート
【図１８】実施例３のカテゴリ４テーブルの構成の一例を示す図
【図１９】優先商品テーブルの構成の一例を示す図
【図２０】商品購入サイクルテーブルの構成の一例を示す図
【図２１】実施例４のコンテンツ配信システムの構成の概略を示すブロック図
【図２２】実施例４における携帯情報端末装置の本発明に関する動作の概略を示したフローチャート
【図２３】実施例４におけるコンテンツ配信サーバの本発明に関する動作の概略を示したフローチャート
【符号の説明】
【０１１２】
１      携帯電話（携帯情報端末装置）
９      コンテンツ配信サーバ（コンテンツ配信装置）
１０１    制御部
１０２    記憶部
１０３    メモリカード（記録媒体）
１０５    チューナ部（受信部）
１０７    メモリリーダ／ライタ部
１０９    表示部
１１１    情報読取部
１１２    決済機能部（決済情報取得部）
６０１    通信部（情報送信部）
２０００  商品購入サイクルテーブル
【図１】
2008152564.tif 000003
【図２】
2008152564.tif 000004
【図３】
2008152564.tif 000005
【図４】
2008152564.tif 000006
【図５】
2008152564.tif 000007
【図６】
2008152564.tif 000008
【図７】
2008152564.tif 000009
【図８】
2008152564.tif 000010
【図９】
2008152564.tif 000011
【図１０】
2008152564.tif 000012
【図１１】
2008152564.tif 000013
【図１２】
2008152564.tif 000014
【図１３】
2008152564.tif 000015
【図１４】
2008152564.tif 000016
【図１５】
2008152564.tif 000017
【図１６】
2008152564.tif 000018
【図１７】
2008152564.tif 000019
【図１８】
2008152564.tif 000020
【図１９】
2008152564.tif 000021
【図２０】
2008152564.tif 000022
【図２１】
2008152564.tif 000023
【図２２】
2008152564.tif 000024
【図２３】
2008152564.tif 000025